(57)【要約】【課題】簡単にトイレルームに設置でき、ランニングコストを抑えてトイレ内を快適に暖房するトイレ暖房装置を提供する。【解決手段】トイレルームの側壁の片側もしくは両側に取り付けられ、使用者の下半身を暖房する輻射パネルからなる暖房装置であって、空室時は側壁と略平行に係止されているとともに、使用時は該使用者の膝上部と略平行となるように回動、係止して膝上部を暖める膝上輻射パネル１１を有する。好ましくは、膝側面部ないしは膝前面部を暖める膝下輻射パネル１２を備える。【選択図】図３
2005009807.tif 000002
【特許請求の範囲】
【請求項１】
トイレルームの側壁の片側もしくは両側に取り付けられ、使用者の下半身を暖房する輻射パネルからなる暖房装置であって、空室時は側壁と略平行に係止されているとともに、使用時は該使用者の膝上部と略平行となるように回動、係止して膝上部を暖める膝上輻射パネルを有するトイレ暖房装置。
【請求項２】
膝側面部ないしは膝前面部を暖める膝下輻射パネルを上記膝上輻射パネル下方の壁面に固定、または該膝下輻射パネルの奥側端部を回動自在に軸支した請求項１に記載のトイレ暖房装置。
【請求項３】
上記使用時に膝上輻射パネルを使用者の膝上部と略平行となるように回動、係止する回動係止部に手摺りが付設された請求項１に記載のトイレ暖房装置。
【請求項４】
上記トイレルームの側壁の片側に取り付けられる輻射パネルであって、該輻射パネルの一端をアームを介して上記片側の側壁に取り付け、該輻射パネルの他端に伸縮アームを延設するとともに、この伸縮アームを受ける受け部が対向する側壁に設けられた請求項１に記載のトイレ暖房装置。
【請求項５】
トイレルームの側壁と略平行に取り付けられ、使用者の下半身を暖房する略Ｌ字型に形成された発熱パネルからなる暖房装置であって、該発熱パネルは上側発熱パネルと下側発熱パネルとが蝶番でヒンジ結合されているとともに、該上側発熱パネルは使用時に該使用者の膝上部と略平行となるように回動し、該下側発熱パネルは、固定面と常に内側に回動するようにバネ入り蝶番で付勢された内曲げ面とからなり、使用時は該内曲げ面で上記上側発熱パネルを使用者の膝上部と略平行に支持するトイレ暖房装置。
【請求項６】
上記上側発熱パネルの下端に蝶番の一片が固定されるとともに、上記蝶番の他片は、下側発熱パネルの固定面上端に設けられた回動ストッパ兼レール部に上下スライド自在に挿入され、さらに上記上側発熱パネルの下端には、上記内曲げ面の内側への回動を係止する内曲げストッパを備えた請求項５に記載のトイレ暖房装置。
【発明の詳細な説明】
【０００１】
【発明の属する技術分野】
本発明は、トイレの暖房装置に関する。さらに詳しくは、発熱パネルからなり、トイレルームの側壁に取り付けられる暖房装置に関する。
【０００２】
【従来の技術】
従来、トイレルーム全体を温風で暖房する暖房装置（特許文献１）、曲伸可能な複数枚の輻射パネルを、屏風形態で立ち姿勢を取らせたパネル輻射暖房器（特許文献２）や、少なくとも１面を遠赤外線放射パネルとした複数枚のパネルを平断面コの字型に配置し、開放側を身体の方向に向けて暖房可能な空間を形成する机用面状暖房装置（特許文献３）等、比較的狭い空間を簡易に暖房するための技術が知られている。
【０００３】
【特許文献１】
特開平６−１４２００９号公報（第１−４頁、第１図）
【特許文献２】
特開昭６０−１７１３２６号公報（第１−２頁、第２図）
【特許文献３】
実開平３−１１５３２４号公報（第１−６頁、第１図）
【０００４】
【発明が解決しようとする課題】
上記したように、近年、トイレルームのように比較的狭い空間をより快適に暖房するために、上記先行技術を含む種々の関連技術が提案されている。とくに、冬季のトイレルームのように居室と温度差がある場合は、要健康注意者や高齢者等にとって、大きなストレスとなり、重篤な病気の原因ともなり得るため、できるだけ居室との温度差の少ないトイレ環境が求められている。しかしながら、上記先行技術を適用してこの問題を解決することは困難であり、簡単にトイレルームに設置できるとともに、ランニングコストを低く抑えてトイレ内を暖房し、上記温度差によるストレスを軽減できるトイレ暖房装置が求められている。
【０００５】
【課題を解決するための手段】
本発明はこのような状況の下で考え出されたものであって、上記課題を解決するためにつぎのような技術的手段が講じられている。すなわち、本願第一発明によれば、トイレルームの側壁の片側もしくは両側に取り付けられ、使用者の下半身を暖房する輻射パネルからなる暖房装置であって、空室時は側壁と略平行に係止されているとともに、使用時は該使用者の膝上部と略平行となるように回動、係止して膝上部を暖める膝上輻射パネルを有するトイレ暖房装置が提供される。このようにすることによって、暖房便座を併用することにより、臀部からは伝熱で、また、膝上部からは輻射で、上下両方向から下半身を暖めることができ、居室とトイレルームとの温度差によるストレスを軽減することができる。
【０００６】
上記膝上輻射パネルに加えて、さらに膝側面部ないしは膝前面部を暖める膝下輻射パネルを上記膝上輻射パネル下方の壁面に固定、または該膝下輻射パネルの奥側端部を回動自在に軸支することが好ましい。このようにすることにより、膝上部と膝下部とを共に加熱するため、さらに快適に下半身を暖めることができる。
【０００７】
上記使用時に使用者の膝上部と略平行となるように回動、係止する係止部に手摺りが付設されることが好ましい。このようにすることにより、手摺りに掴まることができるため、とくに高齢者にとって体の移動が容易となり、また、安全性にも配慮したものとなる。
【０００８】
上記トイレルームの側壁の片側に取り付けられる輻射パネルであって、該輻射パネルの一端をアームを介して上記片側の側壁に取り付け、該輻射パネルの他端に伸縮アームを延設するとともに、この伸縮アームを受ける受け部が対向する側壁に設けられる。このようにすることによって、トイレルームが狭く、側壁の両側に輻射パネルを設けることが困難な場合においても、本発明のトイレ暖房装置を設置することができる。
【０００９】
さらに、本願第二発明によれば、トイレルームの側壁と略平行に取り付けられ、使用者の下半身を暖房する略Ｌ字型に形成された発熱パネルからなる暖房装置であって、該発熱パネルは上側発熱パネルと下側発熱パネルとが蝶番でヒンジ結合されているとともに、該上側発熱パネルは使用時に該使用者の膝上部と略平行となるように回動し、該下側発熱パネルは、固定面と常に内側に回動するようにバネ入り蝶番で付勢された内曲げ面とからなり、使用時は該内曲げ面で上記上側発熱パネルを使用者の膝上部と略平行に支持するトイレ暖房装置が提供される。このようにすることによって、暖房便座を併用することにより、臀部と膝上部との両方向から下半身を暖めることができ、居室とトイレルームとの温度差によるストレスを軽減することができる。
【００１０】
上側発熱パネルの下端に上記蝶番の一片が固定されるとともに、上記蝶番の他片は、下側発熱パネルの固定面上端に設けられた回動ストッパ兼レール部に上下スライド自在に挿入され、さらに上記上側発熱パネルの下端には、上記内曲げ面の内側への回動を係止する内曲げストッパを備えることが好ましい。このようにすることによって、空室時は上記回動ストッパ兼レール部のストッパ機能と内曲げストッパとが働いて上側発熱パネルと下側発熱パネルとが略Ｌ字型の１枚のパネルとなり、下側発熱パネルの固定面を介して側壁と平行にパネル全体を取り付けることができる。
【００１１】
【発明の実施の形態】
以下、本願第一、第二発明にかかるトイレ暖房装置の好ましい実施の形態について、実施例により、さらに詳細に説明する。
【００１２】
【実施例１】
図１は、面ヒータを内蔵した膝上輻射パネル１１をトイレルームの側壁に取り付けた本願第一発明の実施例１を示す斜視図である。図１において、膝上輻射パネル１１は回転軸２により軸支され、壁面に固定された回動係止部３は、回転軸２を回動自在に支承するとともに、トイレルームが空室のときは、膝上輻射パネル１１を上記壁面に略平行に係止する。また、上記回動係止部３は、発熱量高低を切り替える切替スイッチ４を内設している。上記切替スイッチ４は、トイレルームが空室のときは、押しボタンが上に出て、膝上輻射パネル１１への通電は低発熱運転とし、トイレルーム内をベース暖房状態に保つ。
【００１３】
トイレルームを使用するときは、図２に示すように、使用者は取っ手１１１を回動させ、膝上輻射パネル１１を使用者の膝上部と略平行となるように倒す。このとき、膝上輻射パネル１１が壁面と略直角に回動し、回動係止部３で係止されると、その重量によって上記切替スイッチ４の押しボタンが押し込まれ、膝上輻射パネル１１が高発熱運転に切り替わる。このようにして、露出した太腿等の膝上部が輻射熱により暖められ、暖房便座を併用することにより、下半身を暖めることができる。
【００１４】
【実施例２】
図３は、実施例２を示す斜視図であり、本実施例においては、図１に示した膝上輻射パネル１１の下方に膝下輻射パネル１２をトイレルームの側壁に固定している。実施例１の場合と同じく、トイレルームを使用するときは、使用者は取っ手１１１を回動させ、膝上輻射パネル１１を使用者の膝上部と略平行となるように倒す。このとき、切替スイッチ４は膝上輻射パネル１１と膝下輻射パネル１２とへの通電量を高発熱運転に切り替えて、膝上部に加えて膝下部が輻射熱により暖められ、暖房便座を併用することにより、より快適に下半身を暖めることができる。
【００１５】
【実施例３】
図４は、実施例３にかかる本発明のトイレ暖房装置を示す斜視図である。図４からよくわかるように、本実施例においては、図３に示す実施例２のトイレ暖房装置において、回動係止部３に手摺り５を付設している。このようにすることによって、手摺り５に掴まることができるため、とくに高齢者にとって体の移動が容易となり、また、安全性にも配慮したものとなる。
【００１６】
【実施例４】
図５は、実施例４にかかる本発明のトイレ暖房装置を示す斜視図である。図５からよくわかるように、本実施例においては、膝下輻射パネル１３の奥側の端部を縦軸６１によって軸支し、可変アーム６２を屈曲させることによって膝下側面部ないし膝下前面部を暖めることができる。このとき、使用者は把手１３１を操作し、適宜せり出し位置を調整できる。また、本実施例においても、実施例３と同様、回動係止部３に手摺り５を付設してもよい。
【００１７】
【実施例５】
図６は、実施例５にかかる本発明のトイレ暖房装置を示す斜視図である。図６からよくわかるように、本実施例においては、膝上輻射パネル１４をトイレルームの側壁の片側に取り付けている。図６において、膝上輻射パネル１４は、その一端をアーム２１を介して回転軸２に接続されており、他端には伸縮アーム２２が延設されている。通常、上記膝上輻射パネル１４は、側壁と略平行に係止されているが、トイレ使用時は、使用者の膝上部と略平行となるように取っ手１４１を回動する。このとき伸縮アーム２２の端部が対向する側壁に設けられた受け部２２２にきっちりと嵌るように引き手２２１で伸縮アーム２２の長さを調節し、ロックしておく。このようにすることによって、トイレルームが狭く、側壁の両側に膝上輻射パネルを設けることが困難な場合でも、本発明のトイレ暖房装置を設置することができる。
【００１８】
【実施例６】
図７は、本願第二発明にかかる実施例６のトイレ暖房装置に用いられる略Ｌ字型に形成された発熱パネル７を示す正面図である。図７に示されているように、上記発熱パネル７は、コードヒータを内蔵した上側発熱パネル７１と下側発熱パネル７２とが蝶番８１によってヒンジ結合されてなり、さらに下側発熱パネル７２は、固定面７２１と、常に内側に回動するようにバネ入り蝶番９で付勢された内曲げ面７２２とからなっている。上記略Ｌ字型の発熱パネル７は固定面７２１を壁面に取り付けることによって、その全体がトイレルームの側壁と略平行に取り付けられる。
【００１９】
図７からよくわかるように、上側発熱パネル７１の下端に蝶番８１の一片が固定され、蝶番８１の他片は、下側発熱パネル７２の固定面７２１上端に設けられた回動ストッパ兼レール部８１１に上下にスライド自在に挿入される。また、上側発熱パネル７１の下端には、上記内曲げ面７２２の内側への回動を係止する内曲げストッパ８２が垂設されている。上記回動ストッパ兼レール部８１１は、蝶番８１の回動ストッパとしても作用し、トイレルームが空室であるときは、上側発熱パネル７１の自重で蝶番８１と内曲げストッパ８２とが図７に示すように位置し、蝶番８１が回動しないように係止するとともに、上記内曲げ面７２２の内側への回動を係止する。かくして、略Ｌ字型に形成された発熱パネル７は面一となり、固定面７２１を介して壁面と略平行に取り付けられる。なお、このとき、固定面７２１の壁面への固定に加えて、上側発熱パネル７１をもマグネット等の係止手段により係止することが好ましい。
【００２０】
実施例６のトイレルームを使用するときは、上側発熱パネル７１を引き上げ、蝶番８１をスライドさせて回動ストッパ兼レール部８１１の上部との係合を外すとともに、内曲げストッパ８２の係止も外して内曲げ面７２２をフリーとする。図８は、この状態を示す斜視図である。上記のようにすることによって、矢印で示すように上側発熱パネル７１は使用者の膝上部と略平行となるように回動し、また、内曲げ面７２２は、膝側面部ないしは膝前面部等、使用者の膝下部を囲むように回動するとともに、上側発熱パネル７１を支える。このようにすることによって、暖房便座を併用することにより、より快適に下半身を暖めることができる。
【００２１】
【発明の効果】
以上述べたように、請求項１に記載の本願第一発明にかかるトイレ暖房装置は上記のとおりであり、とくに、使用時は使用者の膝上部と略平行となるように回動、係止して膝上部を暖める膝上輻射パネル１１を有することを特徴とする。このようにすることによって、暖房便座を併用することにより、臀部からは伝熱で、また、膝上部からは輻射で上下両方向から下半身を暖めることができ、居室とトイレルームとの温度差によるストレスを軽減することができる。
【００２２】
請求項２に記載の発明は、上記膝上輻射パネル１１に加えて、さらに膝側面部ないしは膝前面部を暖める膝下輻射パネル１２を有する。このようにすることにより、請求項１に記載の発明の効果に加えて、膝上部と膝下部とを共に加熱するため、さらに快適に下半身を暖めることができる。
【００２３】
請求項３に記載の発明は、使用時に使用者の膝上部と略平行となるように回動、係止する回動係止部３に手摺り５が付設されることが好ましい。このようにすることにより、請求項１に記載の発明の効果に加えて、手摺り５に掴まることができるため、とくに高齢者にとって体の移動が容易となり、また、安全性にも配慮したものとなる。
【００２４】
請求項４に記載の発明は、上記トイレルームの側壁の片側に取り付けられる輻射パネルであって、該輻射パネル１４の一端をアーム２１を介して上記片側の側壁に取り付け、該輻射パネル１４の他端に伸縮アーム２２を延設するとともに、この伸縮アーム２２を受ける受け部２２２が対向する側壁に設けられる。このようにすることによって、請求項１に記載の発明の効果に加えて、トイレルームが狭く、側壁の両側に輻射パネルを設けることが困難な場合においても、本発明のトイレ暖房装置を設置することができる。
【００２５】
請求項５に記載の本願第二発明にかかるトイレ暖房装置は、上記のとおりであり、とくに、上側発熱パネル７１と下側発熱パネル７２とが蝶番８１でヒンジ結合されて略Ｌ字型に形成されているとともに、該上側発熱パネル７１は使用者の膝上部と略平行となるように回動し、該下側発熱パネル７２は、固定面７２１と常に内側に回動するようにバネ入り蝶番９で付勢された内曲げ面７２２とからなり、使用時は該内曲げ面７２２で上記上側発熱パネル７１を支持することを特徴とする。このようにすることによって、暖房便座を併用することにより、臀部と膝上部との両方向から下半身を暖めることができ、居室とトイレルームとの温度差によるストレスを軽減することができる。
【００２６】
請求項６に記載の発明は、上側発熱パネル７の下端に蝶番８１の一片が固定されるとともに、上記蝶番８１の他片は、下側発熱パネル７２の固定面７２１上端に設けられた回動ストッパ兼レール部８１１に上下スライド自在に挿入され、さらに該上側発熱パネル７１の下端には、上記内曲げ面７２２の内側への回動を係止する内曲げストッパ８２を備える。このようにすることによって、請求項５に記載の発明の効果に加えて、空室時は上記回動ストッパ兼レール部８１１のストッパ機能と内曲げストッパ８２とが働いて上側発熱パネル７１と下側発熱パネル７２とが略Ｌ字型の１枚のパネル７となり、下側発熱パネル７２の固定面７２１を介して側壁と平行にパネル７全体を取り付けることができる。
【図面の簡単な説明】
【図１】本願第一発明にかかるトイレ暖房装置の実施例１を示す斜視図である。
【図２】上記実施例１の使用状態を説明する斜視図である。
【図３】本願第一発明にかかるトイレ暖房装置の実施例２を示す斜視図である。
【図４】本願第一発明にかかるトイレ暖房装置の実施例３を示す斜視図である。
【図５】本願第一発明にかかるトイレ暖房装置の実施例４を示す斜視図である。
【図６】本願第一発明にかかるトイレ暖房装置の実施例５を示す斜視図である。
【図７】本願第二発明にかかるトイレ暖房装置の実施例６に用いられる略Ｌ字型の発熱パネルを示す正面図である。
【図８】上記実施例６を使用する状態を示す斜視図である。
【符号の説明】
１１        実施例１、２、３、４において用いられた膝上輻射パネル
１１１      上記に設けられた取っ手
１２        実施例１において用いられた膝下輻射パネル
１３        実施例４において用いられた膝下輻射パネル
１３１      実施例４に設けられた取っ手
１４        実施例５において用いられた膝上輻射パネル
１４１      上記に設けられた取っ手
２１        実施例５において用いられたアーム
２２        実施例５において用いられた伸縮アーム
２２１      上記に設けられた引き手
２２２      上記を受ける受け部
２          実施例１、２、３、４、５において用いられた回転軸
３          実施例１、２、３、４、５において用いられた回動係止部
４          同上に内設された切替スイッチ
５          実施例３において用いられた手摺り
６１        実施例４において用いられた縦軸
６２        実施例４において用いられた可変アーム
７          実施例６において用いられる略Ｌ字型の発熱パネル
７１        上記の上側発熱パネル
７２        上記の下側発熱パネル
７２１      上記の固定面
７２２      上記の内曲げ面
８１        実施例６において用いられる蝶番
８１１      上記の回動ストッパ兼レール部
８２        実施例６において用いられる内曲げストッパ
９          バネ入り蝶番
【図１】
2005009807.tif 000003
【図２】
2005009807.tif 000004
【図３】
2005009807.tif 000005
【図４】
2005009807.tif 000006
【図５】
2005009807.tif 000007
【図６】
2005009807.tif 000008
【図７】
2005009807.tif 000009
【図８】
2005009807.tif 000010